(57)【特許請求の範囲】
【請求項１】
設備機器の操作を行い、設備機器システムを構成する操作端末であって、
前記操作端末における動作の設定を示す情報である設定情報を受信する受信部と、
前記設定情報を一斉同報により送信する送信部と、
前記設定情報に基づいて前記動作を設定する設定部と、
を備え、
前記設備機器システムは複数の前記操作端末を備え、
前記操作端末は、前記設備機器システムに属さない外部端末と前記設備機器システムを構成する他の前記操作端末とのうち少なくとも１つから、前記設定情報を受信し、
前記操作端末は、前記設定情報に、前記操作端末が前記設定情報を受信したことを示す情報である受信状態情報を付加して前記設定情報を一斉同報により送信し、
前記操作端末は、前記受信状態情報に基づいて前記設備機器システムを構成する複数の前記操作端末のうち前記設定情報を受信していない前記操作端末があるか否かを判断し、前記設定情報を受信していない前記操作端末があると判断した場合には、前記設定情報を一斉同報により送信し、前記設定情報を受信していない前記操作端末がないと判断した場合には、前記設定情報を送信しない操作端末。
【請求項２】
同一の前記設定情報を送信した回数が上限値を上回った場合、前記送信部は、前記設定情報を送信しない請求項１に記載の操作端末。
【請求項３】
前記操作端末は、前記設定情報を受信してから一定時間が経過した後に、前記設定情報を受信していない前記操作端末があると判断した場合、前記設定情報を送信せずに、前記設定情報を受信していない前記操作端末を示す情報を表示する請求項１または２に記載の操作端末。
【請求項４】
設備機器と、
前記設備機器の操作を行う請求項１から３のいずれか１つに記載の操作端末と、
を備える設備機器システム。
【発明の詳細な説明】
【技術分野】
【０００１】
本発明は、設備機器を操作する操作端末、この操作端末を備える設備機器システムおよび設定端末に関する。
【背景技術】
【０００２】
空気調和機をはじめとした設備を操作する複数の操作端末に対する設定方法として、特許文献１では、無線通信装置が無線通信により設定内容を個別に操作端末に送信する方法が提案されている。
【先行技術文献】
【特許文献】
【０００３】
【特許文献１】特開２０１５−７０３０８号公報
【発明の概要】
【発明が解決しようとする課題】
【０００４】
しかしながら、上記特許文献１に記載の技術によれば、無線信号の到達範囲外にある操作端末には設定内容が届かないため、専用の中継器などを用いなければ距離の離れた操作端末の設定を行うことができないという問題があった。【０００５】
本発明は、上記に鑑みてなされたものであって、専用の中継機を導入せずに、設定内容を広範囲に伝送することができる操作端末を得ることを目的とする。
【課題を解決するための手段】
【０００６】
上述した課題を解決し、目的を達成するために、本発明にかかる操作端末は、設備機器の操作を行い、設備機器システムを構成する操作端末であって、操作端末における動作の設定を示す情報である設定情報を受信する受信部を備える。また、操作端末は、設定情報を一斉同報により送信する送信部と、設定情報に基づいて動作を設定する設定部と、を備える。設備機器システムは複数の操作端末を備え、操作端末は、設備機器システムに属さない外部端末と設備機器システムを構成する他の操作端末とのうち少なくとも１つから、設定情報を受信する。操作端末は、設定情報に、操作端末が設定情報を受信したことを示す情報である受信状態情報を付加して設定情報を一斉同報により送信する。操作端末は、受信状態情報に基づいて設備機器システムを構成する複数の操作端末のうち設定情報を受信していない操作端末があるか否かを判断し、設定情報を受信していない操作端末があると判断した場合には、設定情報を一斉同報により送信し、設定情報を受信していない操作端末がないと判断した場合には、設定情報を送信しない。
【発明の効果】
【０００７】
本発明にかかる操作端末は、専用の中継機を導入せずに、設定内容を広範囲に伝送することができるという効果を奏する。
【図面の簡単な説明】
【０００８】
【図１】実施の形態にかかる設備機器システムの構成例を示す図
【図２】操作端末および設定端末の構成例を示す図
【図３】操作端末の外観の一例を示す模式図
【図４】設定端末における操作端末設定情報に関する処理手順の一例を示すフローチャート
【図５】操作端末における操作端末設定情報の送信処理手順の一例を示すフローチャート
【図６】操作端末設定情報に各操作端末が受信の有無を示す情報を付加する場合に各操作端末から送信される送信信号のフォーマットの一例を示す図
【図７】受信状態情報をあらかじめ操作端末ごとのフィールドに区切った場合の受信状態情報の一例を示す図
【図８】設定端末のハードウェア構成例を示す図
【図９】操作端末のハードウェア構成例を示す図
【発明を実施するための形態】
【０００９】
以下に、本発明の実施の形態にかかる操作端末、設備機器システムおよび設定端末を図面に基づいて詳細に説明する。なお、この実施の形態によりこの発明が限定されるものではない。
【００１０】
実施の形態．
図１は、本発明の実施の形態にかかる設備機器システムの構成例を示す図である。本実施の形態の設備機器システムは、図１に示すように、操作端末１−１〜１−ｎと、空気調和機２−１−１〜２−１−ｍ，…，２−ｎ−１〜２−ｎ−ｋと、を備える。なお、ｎは２以上の整数であり、ｍおよびｋは１つ以上の空気調和機である。図面では、空気調和機を空調機と略している。操作端末１−１〜１−ｎは、例えば、ビル等の建物の同一フロア内に設置される。詳細には、例えば、ビルの１フロアが複数のエリアに区切られている場合に、エリアごとに操作端末１−１〜１−ｎが配置される。なお、操作端末１−１〜１−ｎの配置はこの例に限定されず、操作端末１−１〜１−ｎが、他の操作端末のうちの少なくとも１つと無線通信可能な配置であればよい。操作端末１−１〜１−ｎは、操作端末１−１〜１−ｎを操作端末群６とも呼ぶ。本実施の形態では、設備機器システムにおける設備として空気調和機を例に挙げて説明する。設備機器システムにおける設備は、これに限定されず、照明器具などであってもよい。
【００１１】
以下、操作端末１−１〜１−ｎを、区別せずに示す場合には、操作端末１と記載する。また、空気調和機２−１−１〜２−１−ｍ，…，２−ｎ−１〜２−ｎ−ｋを区別せずに示すときは、空気調和機２と記載する。空気調和機２−１−１〜２−１−ｍ，…，２−ｎ−１〜２−ｎ−ｋは、全てが同一の機能および構成を有していてもよいし、空気調和機２−１−１〜２−１−ｍ，…，２−ｎ−１〜２−ｎ−ｋのうち少なくとも一部が、機能および構成が互いに異なっていてもよい。
【００１２】
操作端末１−１は、空気調和機２−１−１〜２−１−ｍを操作するための端末すなわち設備機器の操作を行う操作端末であり、空気調和機２−１−１〜２−１−ｍと専用通信線５−１で接続されている。操作端末１−ｎは、空気調和機２−ｎ−１〜２−１−ｋを操作するための端末であり、空気調和機２−ｎ−１〜２−ｎ−ｋと専用通信線５−ｎで接続されている。ｎが３以上の場合、操作端末１−ｉ（ｎは１＜ｉ＜ｎを満たす整数）は、同様に１つ以上の空気調和機と専用通信線で接続され、専用通信線で接続される１つ以上の空気調和機の操作に用いられる。
【００１３】
図２は、操作端末１および設定端末３の構成例を示す図である。図２に示すように、操作端末１は、無線通信部１１、設定情報管理部１２、伝搬管理部１３、操作部１４および通信部１５を備える。なお、図２では、操作端末１−１以外の操作端末１における無線通信部１１以外の構成要素の図示を省略している。
【００１４】
無線通信部１１は、他の端末すなわち設定端末３または他の操作端末１から設定情報である操作端末設定情報を受信する受信部である設定情報受信部１１１と、他の操作端末１に一斉同報送信により操作端末設定情報を送信する送信部である設定情報送信部１１２とを備える。すなわち、設定情報受信部１１１は、操作端末１における動作の設定を示す情報である操作端末設定情報を受信し、設定情報送信部１１２は、操作端末設定情報を一斉同報により送信する。設定情報受信部１１１は、受信した操作端末設定情報を設定情報管理部１２および伝搬管理部１３へ通知する。本実施の形態において、一斉同報送信は、送信信号の宛先アドレスにブロードキャストアドレスが格納されることにより実現されてもよい。または、操作端末群６を構成する全ての操作端末１が受信するアドレスをあらかじめ定めておき、このアドレスが送信信号の宛先アドレスに格納されることにより一斉同報送信が実現されてもよい。全ての操作端末１が受信するアドレスをあらかじめ定めておく場合、いわゆるマルチキャストアドレスを用いてもよい。
【００１５】
操作端末設定情報とは、操作端末１の動作を設定するための情報であり、一例としては操作端末１の動作の初期設定を行う際の設定情報が挙げられる。具体的には、操作端末設定情報は、例えば、日付設定を行うための情報である日付設定情報、スケジュール設定を行うための情報であるスケジュール設定情報、表示に関する設定を行うための情報である表示設定情報、チャイルドロックをはじめとした一部の操作の受付の制限機能を設定するための情報である制限設定情報、のうちの少なくとも一部である。スケジュール設定とは、空気調和機２の運転のタイムスケジュールの設定であり、運転のタイムスケジュールとは、空気調和機２の運転の有無を時間帯ごとに定めたスケジュールである。表示設定情報には、操作端末１の画面に表示する文字の大きさを設定するための情報、操作端末１の画面に表示する言語を設定するための情報等が含まれる。
【００１６】
本実施の形態では、後述するように、設定端末３または操作端末１から送信された操作端末設定情報を受信した操作端末１は、一斉送信により該操作端末設定情報をそのまま転送する。したがって、操作端末設定情報は、操作端末群６を構成する操作端末１に共通の設定情報であることが望ましい。ただし、後述するように、操作端末１ごとに機能が異なっていることもある。したがって、操作端末設定情報は、操作端末１によって対応していない機能の設定情報を含んでいてもよい。
【００１７】
設定情報管理部１２は、設定情報に基づいて操作端末１の動作を設定する設定部である。詳細には、設定情報管理部１２は、設定情報受信部１１１が受信した操作端末設定情報のうち自身に対応する情報を記憶する。後述するように、操作部１４は、操作端末設定情報に基づいた動作を実施する。したがって、設定情報管理部１２は、操作端末設定情報を記憶することにより操作端末１の動作を設定している。自身に対応する情報とは、自身が対応している機能に関する設定を行うための情報である。また、設定情報管理部１２は、操作部１４から操作端末設定情報の追加または更新の要求があった場合には、要求に従って操作端末設定情報の追加または更新を実施してもよい。
【００１８】
伝搬管理部１３は、後述する伝搬情報を記憶し、伝搬情報に基づき、設定情報受信部１１１から受け取った操作端末設定情報を伝搬させるか否かを判定し、判定結果を操作端末設定情報とともに設定情報送信部１１２へ通知する。設定情報送信部１１２は、設定情報受信部１１１から通知された判定結果が、操作端末設定情報を伝搬させるという判定結果であった場合、伝搬管理部１３から受け取った操作端末設定情報を一斉同報送信により無線信号として送信する。
【００１９】
操作部１４は、設定情報管理部１２に記憶されている操作端末設定情報に基づいた動作を実行する。詳細には、例えば、操作端末設定情報に表示設定情報が含まれる場合、操作部１４は、表示設定情報に従って、画面を表示する。また、操作端末設定情報にスケジュール情報が含まれる場合、操作部１４は、スケジュール情報に従って、空気調和機２の運転を開始または終了させるための制御情報を生成し、通信部１５を介して、制御情報を空気調和機２へ送信する。また、操作部１４は、ユーザから空気調和機２を操作するための情報の入力を受け付けて、該情報に基づいて空気調和機２を制御するための制御情報を生成して、通信部１５を介して空気調和機２へ送信する。通信部１５は、操作部１４から入力される制御情報を空気調和機２へ送信する。
【００２０】
空気調和機２の操作部１４の機能すなわち操作部１４の動作は、操作端末群６を構成する全ての操作端末１で同一であってもよいが、操作端末群６を構成する全ての操作端末１で同一である必要はない。例えば、操作端末群６を構成する操作端末１のうち、一部の操作端末１はスケジュール設定機能を有し、残りの操作端末１はスケジュール設定機能を有していなくてもよい。
【００２１】
設定端末３は、パーソナルコンピュータ、スマートフォン、タブレットをはじめとした無線通信機能を有する端末であり、設備機器の操作を行う操作端末１と無線通信可能な設定端末である。設定端末３は、設備機器システムに属さない外部端末である。設定端末３は、空気調和システムである設備機器システムにおいて空気調和機２の制御を行うための専用端末ではなく、汎用の端末である。図２に示すように、設定端末３は、無線通信部３１および操作端末設定管理部３２を備える。無線通信部３１は、設定情報送信部３１１を備える。例えば、設定端末３に、操作端末の管理を行うためのソフトウェアがインストールされることにより、操作端末設定管理部３２の機能が実現される。
【００２２】
操作端末設定管理部３２は、操作端末設定情報を生成して記憶するとともに、記憶された操作端末設定情報を読み出して設定情報送信部３１１へ出力する。すなわち、操作端末設定管理部３２は、操作端末１の動作の設定を示す情報である操作端末設定情報を生成する生成部である。設定情報送信部３１１は、操作端末設定情報を一斉同報送信により無線信号として送信する送信部である。操作端末設定管理部３２は、例えば、ユーザからの操作端末の動作に関する情報の入力を受け付け、入力された情報に基づいて操作端末設定情報を生成して記憶する。
【００２３】
図３は、操作端末１の外観の一例を示す模式図である。操作端末１は、操作部１４の一部として、図３に例示した表示部７および入力部８を備える。なお、操作端末１は、表示部７および入力部８が一体化されたタッチパネルを備えていてもよい。図３では、表示部７に、設定画面の一例が表示された状態を示している。入力部８は、例えば、メニュー画面を表示させるためのボタンであるメニューボタンをはじめとした各種ボタンを備える。操作端末１は、例えば、建物の壁面に設置されるが、操作端末１の設置場所はこの例に限定されない。
【００２４】
ビルの空気調和システムのように、離れた場所に操作端末１が複数存在する設備機器システムでは、ユーザが、操作端末群６に対して共通の設定情報を設定したい場合がある。例えば、各操作端末１に対して初期設定を行う場合などである。このような場合、ユーザが、各操作端末１の設置位置まで移動して、各操作端末１を順次設定すると、手間がかかる。この手間を省くため、無線信号を用いて、設定端末などから、全操作端末へ設定情報を送信する方法を採用すると、無線信号の到達範囲外にある操作端末には設定内容が届かない。したがって、この方法では、専用の中継器などを用いなければ距離の離れた操作端末の設定を行うことができない。
【００２５】
これに対し、本実施の形態では、操作端末１は、設定端末３または他の操作端末１から受信した操作端末設定情報を一斉同報送信により、全操作端末１宛てに送信する。各操作端末１が、受信した操作端末設定情報を一斉同報送信により送信することにより、操作端末設定情報は設定端末３からの距離の離れた操作端末１へも到達する。
【００２６】
例えば、操作端末１−１〜１−５により操作端末群６が構成され、操作端末１−１は設定端末３から送信された無線信号を受信可能な位置に設置され、操作端末１−２〜１−５は設定端末３から送信された無線信号を受信できない位置に設置されているとする。また、操作端末１−２，１−３は、操作端末１−１から送信された無線信号を受信可能な位置に設置され、操作端末１−４は、操作端末１−２から送信された無線信号を受信可能な位置に設置され、操作端末１−５は、操作端末１−３から送信された無線信号を受信可能な位置に設置されているとする。このような場合、操作端末１−５は、設定端末３から直接操作端末設定情報を受信することはできない。しかし、操作端末１−１および操作端末１−３がそれぞれ受信した操作端末設定情報を一斉同報送信することにより、操作端末１−５は、操作端末１−１および操作端末１−３を介して操作端末設定情報を受信することができる。
【００２７】
また、各操作端末１へ操作端末設定情報を伝搬させるための方法として、操作端末群内の経路管理を行い、ユニキャストにより操作端末設定情報を転送する方法も考えられるが、この方法では、各操作端末１が経路管理の機能を有する必要がある。これに対して、本実施の形態では、全操作端末１が一斉同報送信を行うだけでよいため、簡易な処理により、操作端末設定情報を伝搬させることができる。
【００２８】
次に、本実施の形態の動作について説明する。図４は、本実施の形態の設定端末３における操作端末設定情報に関する処理手順の一例を示すフローチャートである。まず、設定端末３の操作端末設定管理部３２は、操作端末設定情報の有無を確認する（ステップＳ１）。操作端末設定管理部３２は、操作端末設定情報がある場合（ステップＳ２  Ｙｅｓ）、無線通信部３１へその旨を通知し、無線通信部３１は、無線通信が有効化されているかを確認する（ステップＳ３）。無線通信が有効化されているとは、無線通信を行うことが可能な設定がされていることを意味する。パーソナルコンピュータ、スマートフォン等である設定端末３では、一般に、無線通信の有効化と無効化をユーザからの操作により設定可能となっている。
【００２９】
無線通信が有効化されている場合（ステップＳ４  Ｙｅｓ）、無線通信部３１の設定情報送信部３１１は、操作端末に設定情報である操作端末設定情報を無線信号として一斉同報送信により送信し（ステップＳ５）、設定端末３は、処理を終了する。設定情報すなわち操作端末設定情報が無い場合（ステップＳ２  Ｎｏ）、および無線通信が有効化されていない場合（ステップＳ４  Ｎｏ）、設定端末３は処理を終了する。設定端末３は、図４に示した処理を、例えば、定期的に実施してもよいし、ユーザから送信を指示する情報の入力を受け付ける等のようにユーザからのなんらかの入力を受け付けた場合に実施してもよい。
【００３０】
次に、操作端末１が設定端末３または他の操作端末１から操作端末設定情報を受信した場合に実施する操作端末設定情報の送信処理について説明する。図５は、操作端末１における操作端末設定情報の送信処理手順の一例を示すフローチャートである。なお、図５では、操作端末１が設定端末３から操作端末設定情報を受信する例について説明するが、他の操作端末１から操作端末設定情報を受信する場合の操作端末１の動作は、図５に示した例と同様である。
【００３１】
操作端末１は、設定端末３から操作端末設定情報を受信する（ステップＳ１１）。具体的には、操作端末１の設定情報受信部１１１が、設定端末３から操作端末設定情報を受信し、受信した操作端末設定情報を設定情報管理部１２および伝搬管理部１３へ出力する。
【００３２】
次に、操作端末１は、設定内容の有無を確認する（ステップＳ１２）。具体的には、操作端末１の設定情報管理部１２は、設定情報受信部１１１から出力された操作端末設定情報に、自身に有効な操作端末設定情報が含まれているかを確認する。自身に有効な操作端末設定情報とは、自身が対応している機能に関する設定情報である。
【００３３】
受信した操作端末設定情報に、設定内容有りの場合、すなわち自身に有効な操作端末設定情報が含まれている場合（ステップＳ１３  Ｙｅｓ）、操作端末１は受信した設定情報すなわち受信した操作端末設定情報で、自身の設定を更新する（ステップＳ１４）。具体的には、ステップＳ１４では、操作端末１の設定情報管理部１２が、自身に有効な操作端末設定情報を、記憶する。これにより、操作部１４は、動作を行う際に、設定情報管理部１２に記憶されている操作端末設定情報に基づいて動作が行われることになる。
【００３４】
次に、伝搬情報に基づいて、操作端末１は、受信した設定情報すなわち受信した操作端末設定情報を、伝搬可能か否かを判断する（ステップＳ１５）。具体的には、伝搬管理部１３が、伝搬情報に基づいて、設定情報受信部１１１から出力された操作端末設定情報を一斉同報送信するか否かを判断する。
【００３５】
伝搬情報は、操作端末１が、受信した操作端末設定情報を一斉同報送信するかすなわち伝搬させるか否かの条件を定めた情報である。例えば、操作端末群６を構成する全ての操作端末１が操作端末設定情報を受信した場合、各操作端末１はそれ以上、操作端末設定情報を一斉同報送信する必要はない。このため、伝搬情報として、操作端末群６を構成する全ての操作端末１が操作端末設定情報を受信した場合に伝搬させ、操作端末設定情報を受信できていない操作端末１が１つでもある場合には操作端末１が操作端末設定情報を受信した場合に伝搬させないという条件を定めておくことができる。全ての操作端末１が操作端末設定情報を受信したか否かの判断は、例えば、操作端末設定情報を送信する際に、該操作端末１を示す情報を付加しておけば、各操作端末１がこの付加された情報を参照することで、どの操作端末１が操作端末設定情報を受信したか否かを判断することができる。
【００３６】
図６は、操作端末設定情報に各操作端末１が受信の有無を示す情報を付加する場合に各操作端末１から送信される送信信号のフォーマットの一例を示す図である。送信信号は、宛先のアドレス等である宛先情報と、受信状態情報と、操作端末設定情報であるデータとを含む。受信状態情報は、上述したように、操作端末設定情報を受信した操作端末１を示す情報である。すなわち、受信状態情報は、操作端末１が付加する該操作端末１が操作端末設定情報を受信したことを示す情報でもある。操作端末１にはあらかじめそれぞれ識別子が付与される。操作端末１が操作端末設定情報を送信する際に、受信状態情報のフィールドに自身の識別子を付加していってもよいし、受信状態情報をあらかじめ操作端末１ごとのフィールドに区切っておき各フィールドに格納される値により受信済みか否かを示すようにしてもよい。図７は、受信状態情報をあらかじめ操作端末ごとのフィールドに区切った場合の受信状態情報の一例を示す図である。図７に示した例では、１つの操作端末１に１ビットを対応させ、先頭のビットは１番目の操作端末１の受信状態を示し、２番目のビットは２番目の操作端末１の受信状態を示すというように、各ビットを操作端末１に対応付けておく。受信状態情報の各ビットは初期状態では、操作端末設定情報を未受信であることを示す値、例えば０に設定される。操作端末１は、受信状態情報が付加された操作端末設定情報を受信すると、該操作端末設定情報を送信する際に、受信状態情報の自身に対応するビットを操作端末設定情報を受信したことを示す値、例えば１に設定し、受信状態情報が付加された操作端末設定情報を送信する。
【００３７】
操作端末１は、受信状態情報に基づいて設備機器システムを構成する複数の操作端末１のうち操作端末設定情報を受信していない操作端末１があるか否かを判断し、操作端末設定情報を受信していない操作端末１があると判断した場合には、操作端末設定情報を一斉同報により送信する。一方、操作端末１は、受信状態情報に基づいて設定情報を受信していない操作端末１がないと判断した場合には、操作端末設定情報を送信しない。
【００３８】
伝搬情報は、上述した例に限定されない。本実施の形態では、同一の操作端末設定情報が複数回同一の操作端末１で受信される可能性がある。例えば、操作端末１が、自身が同一の操作端末設定情報を送信した回数を計数し、伝搬情報として、係数した回数と操作端末設定情報の上限値とを保持してもよい。この場合、自身が操作端末設定情報を送信した回数が上限値を上回った場合、伝搬管理部１３は、受信した操作端末設定情報を送信しない。また、伝搬情報として、初回に操作端末設定情報を受信した時刻からの経過時間を用いてもよい。この場合、操作端末設定情報を受信した時刻からの経過時間が上限値以下の間は操作端末設定情報を伝搬させ、上限値を超えると操作端末設定情報を伝搬させない。伝搬情報は、これらの例に限定されず、複数の条件を組み合わせたものであってもよく、伝搬させるか否かを判定するための任意の条件を示す情報を用いることができる。
【００３９】
例えば、受信状態情報と初回に操作端末設定情報を受信した時刻からの経過時間との両方を組み合わせてもよい。初回に操作端末設定情報を受信した時刻からの経過時間が上限値以下の間は受信状態情報に基づいて伝搬させるか否かを判定し、初回に操作端末設定情報を受信した時刻からの経過時間が上限値を超えると、操作端末設定情報を未受信の操作端末１があったとしても伝搬させない。この場合、操作端末設定情報を受信できない操作端末１が存在することになるが、操作端末１は、操作端末設定情報を受信できない操作端末１を示す識別子を表示するなどして、ユーザに通知してもよい。すなわち、操作端末１は、操作端末設定情報を受信してから一定時間が経過した後に、操作端末設定情報を受信していない操作端末１があると判断した場合、操作端末設定情報を送信せずに、操作端末設定情報を受信していない操作端末１を示す情報を表示してもよい。または、操作端末１が、操作端末設定情報を受信できない操作端末１を示す識別子を設定端末３へ送信し、設定端末３が操作端末設定情報を受信できない操作端末１を表示してもよい。これにより、ユーザは、操作端末設定情報を受信できなかった操作端末１を手動で設定することができる。
【００４０】
図５の説明に戻り、伝搬可能な場合（ステップＳ１５  Ｙｅｓ）、操作端末１は、受信した設定情報すなわち受信した操作端末設定情報を一斉同報送信し（ステップＳ１６）、伝搬情報を更新し（ステップＳ１７）、処理を終了する。なお、ステップＳ１７は、伝搬情報の内容によっては実施しなくてもよい。例えば、伝搬情報として自身が操作端末設定情報を送信した回数を用いる場合、ステップＳ１７において、この回数を更新する。
【００４１】
設定内容無しの場合、すなわち自身に有効な操作端末設定情報が含まれていない場合（ステップＳ１３  Ｎｏ）、ステップ１５へ進む。伝搬可能でない場合（ステップＳ１５  Ｎｏ）、操作端末１は処理を終了する。
【００４２】
なお、本実施の形態で、操作端末１間の無線通信である第１の無線通信および操作端末１と設定端末３との間の無線通信である第２の無線通信は、同一の通信プロトコルを用いた無線通信であってもよいし、異なる通信プロトコルを用いた無線通信であってもよい。第１の無線通信および第２の無線通信で用いるプロトコルは、例えばインターネットプロトコルであってもよいし、Bluetooth（登録商標）プロトコルであっても良い。
【００４３】
次に、本実施の形態の設定端末３のハードウェア構成について説明する。図８は、設定端末３のハードウェア構成例を示す図である。設定端末３は、通信回路９０１、プロセッサ９０２、メモリ９０３、表示部９０４および入力部９０５を備える。プロセッサ９０２は、処理回路であり、ＣＰＵ（Central  Processing  Unit、中央処理装置、処理装置、演算装置、マイクロプロセッサ、マイクロコンピュータ、プロセッサ、ＤＳＰ（Digital  Signal  Processor）ともいう）等である。メモリ９０３は、例えば、ＲＡＭ（Random  Access  Memory）、ＲＯＭ（Read  Only  Memory）、フラッシュメモリー、等の、不揮発性または揮発性の半導体メモリ、磁気ディスク等が該当する。
【００４４】
図２に示した無線通信部３１は、通信回路９０１により実現される。図２に示した操作端末設定管理部３２はプロセッサ９０２およびメモリ９０３により実現される。詳細には、操作端末設定管理部３２は、プロセッサ９０２がメモリ９０３に格納されたプログラムを読み出して実行することにより実現される。表示部９０４は、液晶モニタ、ディスプレイ等であり、入力部９０５は、キーボード、ボタン、マウス等である。表示部９０４および入力部９０５は、一体化されたタッチパネル等であってもよい。
【００４５】
次に、本実施の形態の操作端末１のハードウェア構成について説明する。図９は、操作端末１のハードウェア構成例を示す図である。操作端末１は、通信回路９０６、通信回路９０７、プロセッサ９０８、メモリ９０９、表示部９１０および入力部９１１を備える。プロセッサ９０８は、処理回路であり、ＣＰＵ等である。メモリ９０９は、例えば、ＲＡＭ、ＲＯＭ、フラッシュメモリー、等の、不揮発性または揮発性の半導体メモリ、磁気ディスク等が該当する。
【００４６】
図２に示した無線通信部１１は通信回路９０６より実現される。図２に示した通信部１５は、通信回路９０７により実現される。図２に示した設定情報管理部１２および伝搬管理部１３はプロセッサ９０８およびメモリ９０９により実現される。詳細には、設定情報管理部１２および伝搬管理部１３は、プロセッサ９０８がメモリ９０９に格納されたプログラムを読み出して実行することにより実現される。図２に示した操作部１４はプロセッサ９０８、メモリ９０９、表示部９１０および入力部９１１により実現される。図３に示した入力部８は入力部９１１に対応し、図３に示した表示部７は表示部９１０に対応する。表示部９１０は、液晶モニタ等であり、入力部９１１はボタン等である。上述したように、表示部９１０および入力部９１１が一体化されたタッチパネルを用いてもよい。
【００４７】
なお、以上の説明では、設定端末３が操作端末設定情報を生成するすなわち設定端末３が操作端末設定情報の送信元となる例を説明したが、操作端末１のうちの１つが操作端末設定情報を生成して、他の操作端末１へ一斉同報送信してもよい。
【００４８】
以上のように、本実施の形態では、操作端末１が、設定端末３または他の操作端末１から受信した操作端末設定情報を一斉同報送信により送信するようにした。これにより、専用の中継機を導入せずに、設定内容を広範囲に伝送することができる。
【００４９】
なお、以上の説明では、設備機器が空気調和機である例を説明したが、設備機器は空気調和機に限定されない。設備機器が照明器具である場合、上述した操作端末設定情報には、人感センサの感度のレベルを設定するための情報、調光を設定するための情報等が含まれていてもよい。
【００５０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５１】
１，１−１，１−２，１−ｎ  操作端末、２−１−１〜２−１−ｍ，２−ｎ−１〜２−ｎ−ｋ  空気調和機、３  設定端末、１１，３１  無線通信部、１２  設定情報管理部、１３  伝搬管理部、１４  操作部、１５  通信部、３２  操作端末設定管理部、１１１  設定情報受信部、１１２，３１１  設定情報送信部。
【図１】
0006621938.tif 000002
【図２】
0006621938.tif 000003
【図３】
0006621938.tif 000004
【図４】
0006621938.tif 000005
【図５】
0006621938.tif 000006
【図６】
0006621938.tif 000007
【図７】
0006621938.tif 000008
【図８】
0006621938.tif 000009
【図９】
0006621938.tif 000010